(57)【要約】【課題】報知動作の操作性の向上および意図しない報知動作の実行の防止を図ること。【解決手段】時計１１０は、ユーザによる引き出し操作が可能なリュウズ１１４を備える。また、時計１１０は、リュウズ１１４に対する所定の引き出し操作が行われた場合に、携帯端末１２０との間で無線通信を行うことにより、携帯端末１２０の周辺に携帯端末１２０の存在を報知する報知動作を携帯端末１２０に実行させる制御を行う。これにより、報知動作の操作性の向上および意図しない報知動作の実行の防止を図ることができる。【選択図】図１
2019165419.tif 000002
【特許請求の範囲】
【請求項１】
ユーザによる引き出し操作が可能な操作部と、
前記操作部に対する所定の引き出し操作が行われた場合に、所定の携帯端末との間で無線通信を行うことにより、前記携帯端末の周辺に前記携帯端末の存在を報知する報知動作を前記携帯端末に実行させる制御を行う制御部と、
を備えることを特徴とする携帯型電子機器。
【請求項２】
前記操作部は、複数段の引き出し操作が可能であり、
前記所定の引き出し操作は、前記複数段の引き出し操作のうち前記操作部を最も引き出す操作である、
ことを特徴とする請求項１に記載の携帯型電子機器。
【請求項３】
ユーザに対する通知を行う通知部を備え、
前記制御部は、前記操作部に対する前記所定の引き出し操作が行われると、前記報知動作を前記携帯端末に実行させる前に、前記所定の引き出し操作の受け付けを通知するように前記通知部を制御する、
ことを特徴とする請求項１または２に記載の携帯型電子機器。
【請求項４】
前記報知動作は音を発する動作であり、
前記所定の引き出し操作の受け付けの通知は、前記報知動作により発せられる音より小さい音による通知である、
ことを特徴とする請求項３に記載の携帯型電子機器。
【請求項５】
前記所定の引き出し操作の受け付けの通知は音による通知であり、
前記報知動作は、音を発する動作であり、前記所定の引き出し操作の受け付けの通知の開始よりも後に開始され、
前記所定の引き出し操作の受け付けの通知は、前記携帯端末が前記報知動作により音を発している期間の一部または全部において、音を発しない期間を持つことを特徴とする請求項３または４に記載の携帯型電子機器。
【請求項６】
前記制御部は、前記携帯端末に前記報知動作を実行させている間に前記操作部が引き出されていない状態になった場合に、前記携帯端末に前記報知動作を停止させる制御を行うことを特徴とする請求項１〜５のいずれか一つに記載の携帯型電子機器。
【請求項７】
前記操作部は、前記操作部が引かれていない場合は前記操作部が引き出されていない状態になるよう付勢されていることを特徴とする請求項６に記載の携帯型電子機器。
【請求項８】
前記所定の引き出し操作は、前記操作部を引き出した状態を所定時間以上継続する操作であることを特徴とする請求項１〜７のいずれか一つに記載の携帯型電子機器。
【請求項９】
ユーザに対する通知を行う通知部を備え、
前記制御部は、自機器と前記携帯端末との間で前記無線通信が可能な接続状態であり前記携帯端末に前記報知動作を実行させる場合に、自機器と前記携帯端末との間で前記無線通信が可能な接続状態であることを通知するように前記通知部を制御する、
ことを特徴とする請求項１または２に記載の携帯型電子機器。
【請求項１０】
前記報知動作は、前記携帯端末に対する操作により停止可能であり、
前記携帯端末は、前記携帯端末に対する操作により前記報知動作を停止した場合に、前記操作部が引き出されていない状態にすることをユーザに指示する通知を行う、
ことを特徴とする請求項１〜９のいずれか一つに記載の携帯型電子機器。
【発明の詳細な説明】
【技術分野】
【０００１】
この発明は、携帯型電子機器に関する。
【背景技術】
【０００２】
従来、スマートフォンなどの情報端末との間で無線通信が可能な時計が知られている。また、リモコンからの指令信号を受けて種々の動作を実行するテレビがリモコンに対して探索信号を出力し、リモコンが探索信号の入力時に電子音を発する技術が知られている（たとえば、下記特許文献１参照。）。
【先行技術文献】
【特許文献】
【０００３】
【特許文献１】特開平２−２７８９９２号公報
【発明の概要】
【発明が解決しようとする課題】
【０００４】
しかしながら、上述した従来技術では、たとえば腕時計などの携帯型電子機器から他の携帯端末に鳴動等の報知動作を実行させる場合に、携帯型電子機器に対する容易な操作により他の携帯端末に報知動作を実行させ、かつ意図しない報知動作の実行を防止することが困難であるという問題がある。
【０００５】
この発明は、上述した従来技術による問題点を解消するため、報知動作の操作性の向上および意図しない報知動作の実行の防止を図ることができる携帯型電子機器を提供することを目的とする。
【課題を解決するための手段】
【０００６】
上述した課題を解決し、目的を達成するため、この発明にかかる携帯型電子機器は、ユーザによる引き出し操作が可能な操作部と、前記操作部に対する所定の引き出し操作が行われた場合に、所定の携帯端末との間で無線通信を行うことにより、前記携帯端末の周辺に前記携帯端末の存在を報知する報知動作を前記携帯端末に実行させる制御を行う制御部と、を備える。
【０００７】
これにより、たとえばプッシュボタンの押下等よりも容易な引き出し操作により他の携帯端末に報知動作を実行させることができる。また、たとえばプッシュボタンの押下等よりも誤操作が発生しにくい引き出し操作により携帯端末に報知動作を実行させることができる。
【発明の効果】
【０００８】
この発明の一側面によれば、報知動作の操作性の向上および意図しない報知動作の実行の防止を図ることができるという効果を奏する。
【図面の簡単な説明】
【０００９】
【図１】図１は、実施の形態１にかかる時計および携帯端末の一例を示す図である。
【図２】図２は、実施の形態１にかかる携帯端末が表示する鳴動中画面の一例を示す図である。
【図３】図３は、実施の形態１にかかる携帯端末の鳴動の停止の一例を示す図である。
【図４】図４は、実施の形態１にかかる時計および携帯端末の一例を示すブロック図である。
【図５】図５は、実施の形態１にかかる時計の状態遷移の一例を示す図である。
【図６】図６は、実施の形態１にかかる携帯端末の状態遷移の一例を示す図である。
【図７】図７は、実施の形態１にかかる時計および携帯端末の第１の動作例を示す図である。
【図８】図８は、実施の形態１にかかる時計および携帯端末の第２の動作例を示す図である。
【図９】図９は、実施の形態１にかかる時計および携帯端末の第３の動作例を示す図である。
【図１０】図１０は、実施の形態１にかかる時計および携帯端末の第４の動作例を示す図である。
【図１１】図１１は、実施の形態１にかかる時計および携帯端末の第５の動作例を示す図である。
【図１２】図１２は、実施の形態２にかかる時計の時差設定の一例を示す図である。
【図１３】図１３は、実施の形態２にかかる時差設定アプリケーションの画面の一例を示す図である。
【発明を実施するための形態】
【００１０】
以下に図面を参照して、この発明にかかる携帯型電子機器の（一例として時計の）実施の形態を詳細に説明する。
【００１１】
（実施の形態１）
（実施の形態１にかかる時計）
図１は、実施の形態１にかかる時計および携帯端末の一例を示す図である。図１に示すように、実施の形態１にかかる時計１１０は、外装（時計ケース）である胴内に、文字板１１１と、時針１１２ａ、分針１１２ｂおよび秒針１１２ｃと、小窓１１３と、を備える腕時計である。時計１１０の外装はベゼルと胴の二体物から構成されてもよい。
【００１２】
時針１１２ａ、分針１１２ｂおよび秒針１１２ｃは、文字板１１１に対する相対的な位置により時刻を表示する指針である。また、たとえば秒針１１２ｃは、後述のように時刻とは異なる情報の表示にも用いられてもよい。小窓１１３は、日付や曜日等を表示する表示窓である。
【００１３】
また、時計１１０は、胴の側面に、時計１１０のユーザが種々の操作を行うための操作部として、リュウズ（竜頭）１１４およびプッシュボタン１１５が配置されている。リュウズ１１４は、ユーザによる引き出し操作が可能な操作部である。図１に示す例では、リュウズ１１４は、引き出されていない状態（０段引き）と、１段引き出された状態（１段引き）と、２段引き出された状態（２段引き）と、に変位可能である。さらに、リュウズ１１４は、ユーザによる回転操作が可能であってもよい。図１に示す例では、リュウズ１１４は３時側に配置されている。プッシュボタン１１５は、ユーザによる押下操作が可能な操作部である。図１に示す例では、プッシュボタン１１５は４時側に配置されている。
【００１４】
時計１１０の胴には、文字板１１１を覆うようにガラス等の透明材料により形成された風防が取り付けられている。また、時計１１０における風防の反対側には胴に裏蓋が取り付けられている。また、時計１１０は、太陽などの光エネルギーを動力源とする太陽電池時計であってもよい。たとえば、文字板１１１の裏側には太陽電池が配置され、時計１１０の表側から入光した光により太陽電池において発電がなされる。そのため、文字板１１１はある程度光線を透過する材質で形成される。太陽電池によって発電された電力は二次電池に蓄積され、二次電池に蓄積された電力は時計１１０の電源として使用される。二次電池は、たとえばリチウムイオン電池等により実現することができる。
【００１５】
また、時計１１０は、携帯端末１２０などの他端末（外部機器）との間でＢｌｕｅｔｏｏｔｈ等の無線通信が可能な通信インタフェースを備える。この通信インタフェースは、一例としては図４に示す通信部４１３である。Ｂｌｕｅｔｏｏｔｈは登録商標である。また、時計１１０は、携帯端末１２０との間で無線通信を行うことにより、携帯端末の周辺に携帯端末１２０の存在を報知する報知動作を携帯端末１２０に実行させる制御（たとえば後述の端末サーチ）を行う。
【００１６】
また、文字板１１１の周囲には、接続状態表記１１６、端末サーチ表記１１７、アラーム状態表記１１８およびフライトモード表記１１９などの表記がある。接続状態表記１１６は、時計１１０が携帯端末１２０と接続しているか否かを秒針１１２ｃなどによりユーザに通知するための表記である。接続は、たとえば無線により仮想的な通信回路を確立することである。たとえば、時計１１０は、接続状態表記１１６の「ＯＮ」を秒針１１２ｃにより指すことにより、時計１１０が携帯端末１２０と接続していることをユーザに通知する。また、時計１１０は、接続状態表記１１６の「ＯＦＦ」を秒針１１２ｃにより指すことにより、時計１１０が携帯端末１２０と接続していないことをユーザに通知する。
【００１７】
端末サーチ表記１１７（「ＦＩＮＤ」）は、時計１１０が携帯端末１２０を鳴動させる端末サーチの実行を秒針１１２ｃなどによりユーザに通知するための表記である。たとえば、時計１１０は、端末サーチを実行している間、端末サーチ表記１１７（「ＦＩＮＤ」）を秒針１１２ｃにより指す。
【００１８】
アラーム状態表記１１８は、時計１１０が、たとえば所定時刻にユーザへの通知を行うアラームを設定しているか否かを秒針１１２ｃなどによりユーザに通知するための表記である。たとえば、時計１１０は、アラーム状態表記１１８の「ＯＮ」を秒針１１２ｃにより指すことにより、時計１１０がアラームを設定していることをユーザに通知する。また、時計１１０は、アラーム状態表記１１８の「ＯＦＦ」を秒針１１２ｃにより指すことにより、時計１１０がアラームを設定していないことをユーザに通知する。
【００１９】
フライトモード表記１１９は、時計１１０が、たとえば時計１１０の各無線通信機能をオフにするフライトモード（機内モード）を設定しているか否かを秒針１１２ｃなどによりユーザに通知するための表記である。たとえば、時計１１０は、フライトモード表記１１９の「ＯＮ」を秒針１１２ｃにより指すことにより、時計１１０がフライトモードを設定していることをユーザに通知する。また、時計１１０は、フライトモード表記１１９の「ＯＦＦ」を秒針１１２ｃにより指すことにより、時計１１０がフライトモードを設定していないことをユーザに通知する。
【００２０】
ただし、接続状態表記１１６、端末サーチ表記１１７、アラーム状態表記１１８およびフライトモード表記１１９などの各表記は任意に変更可能である。
【００２１】
携帯端末１２０は、時計１１０との間で無線通信が可能な、スマートフォン、タブレット型端末、ノート型パーソナルコンピュータなどの携帯型の情報端末である。図２に示す例では、携帯端末１２０はスマートフォンである。たとえば、携帯端末１２０は、ディスプレイ１２１と、マイク１２２と、スピーカ１２３，１２４と、を備える。
【００２２】
ディスプレイ１２１は、ユーザに対して画像を表示する。マイク１２２は、ユーザからの音声入力を受け付ける。スピーカ１２３，１２４は、ユーザに対して音声を出力する。たとえば、スピーカ１２３は通話時に使用され、スピーカ１２４は、端末サーチにおける報知動作や着信時のユーザの呼び出しに使用される。
【００２３】
時計１１０は、リュウズ１１４に対する所定の引き出し操作を受け付けると、携帯端末１２０との間で無線通信を行って携帯端末１２０を鳴動させ、ユーザが携帯端末１２０の位置を確認しやすくする端末サーチ（たとえばスマホサーチ）を実行する。携帯端末１２０は、端末サーチにおいて、たとえばスピーカ１２４から大音量の電子音を出力する。これにより、ユーザは、携帯端末１２０からの電子音を頼りに、携帯端末１２０の位置を容易に確認することができる。
【００２４】
また、携帯端末１２０は、端末サーチにおいて、たとえばディスプレイ１２１の上部の通知領域に、時計１１０から携帯端末１２０を鳴動させていることを示す鳴動通知１２１ａを表示してもよい。図１に示す例では、鳴動通知１２１ａは「時計から鳴らしています」とのメッセージを表示している。
【００２５】
（実施の形態１にかかる携帯端末が表示する鳴動中画面）
図２は、実施の形態１にかかる携帯端末が表示する鳴動中画面の一例を示す図である。ユーザは、端末サーチにおいて携帯端末１２０が鳴動している状態で、携帯端末１２０を操作して端末サーチのアプリケーションを立ち上げる。このアプリケーションは、携帯端末１２０において常時起動していてもよい。
【００２６】
端末サーチのアプリケーションは、たとえば、携帯端末１２０のディスプレイ１２１に表示されたホーム画面に含まれる、端末サーチのアプリケーションを示すアイコンをユーザが押下することにより立ち上がる。なお携帯端末１２０に対する押下は、携帯端末１２０のディスプレイ１２１がタッチパネルにより実現される場合はディスプレイ１２１の該当箇所に触れる（タッチする）ことである。また、端末サーチのアプリケーションは、上述の通知領域の鳴動通知１２１ａをユーザが押下することにより立ち上がってもよい。
【００２７】
端末サーチのアプリケーションが立ち上がると、携帯端末１２０はディスプレイ１２１に鳴動中画面２１１を表示する。このとき、携帯端末１２０は、上述の通知領域の鳴動通知１２１ａを表示していた場合は鳴動通知１２１ａを非表示にしてもよい。鳴動中画面２１１は、時計１１０から携帯端末１２０を鳴動させていることを示し、鳴動を停止するためのＳＴＯＰボタン２１２を有する。図２に示す例では、鳴動中画面２１１は「時計からスマートフォンを鳴らしています」とのメッセージを表示している。また、図２に示す例では、ＳＴＯＰボタン２１２は「ＳＴＯＰ」と表示されたボタンである。
【００２８】
（実施の形態１にかかる携帯端末の鳴動の停止）
図３は、実施の形態１にかかる携帯端末の鳴動の停止の一例を示す図である。図２に示した状態においてユーザがＳＴＯＰボタン２１２を押下すると、携帯端末１２０は、スピーカ１２４による鳴動を停止し、図２に示した鳴動中画面２１１を非表示にし、図３に示すリュウズ押下指示画面２２１を表示する。リュウズ押下指示画面２２１は、時計１１０のリュウズ１１４を押し込むことをユーザに指示し、ＯＫボタン２２２を有する。図３に示す例では、リュウズ押下指示画面２２１は「時計のリュウズを押し込んでください」とのメッセージを表示している。
【００２９】
ユーザは、リュウズ押下指示画面２２１に従って、時計１１０のリュウズ１１４を押し込み、ＯＫボタン２２２を押下する。または、ユーザは、ＯＫボタン２２２を押下してから時計１１０のリュウズ１１４を押し込んでもよい。ＯＫボタン２２２が押下されると、携帯端末１２０は、リュウズ押下指示画面２２１を非表示にする。
【００３０】
（実施の形態１にかかる時計および携帯端末）
図４は、実施の形態１にかかる時計および携帯端末の一例を示すブロック図である。図４において、図１に示した部分と同様の部分については同一の符号を付して説明を省略する。図４に示すように、時計１１０は、指針４１１と、操作部４１２と、通信部４１３と、制御回路４１４と、を備える。
【００３１】
指針４１１は、たとえば図１に示した時針１１２ａ、分針１１２ｂおよび秒針１１２ｃを含む。操作部４１２は、たとえば図１に示したリュウズ１１４およびプッシュボタン１１５を含む。通信部４１３は、携帯端末１２０との間でＢｌｕｅｔｏｏｔｈ等の無線通信が可能な通信インタフェースである。
【００３２】
制御回路４１４は、時計１１０の動作を制御する。制御回路４１４は、たとえばＣＰＵ（Ｃｅｎｔｒａｌ  Ｐｒｏｃｅｓｓｉｎｇ  Ｕｎｉｔ：中央処理装置）やメモリを１つのＬＳＩ（Ｌａｒｇｅ  Ｓｃａｌｅ  Ｉｎｔｅｇｒａｔｉｏｎ：大規模集積回路）チップに集積したマイクロコンピュータ等により実現することができる。たとえば、制御回路４１４は、表示制御部４１５と、接続制御部４１６と、を備える。
【００３３】
表示制御部４１５は、指針４１１による時刻の表示や、指針４１１による時計１１０の各状態の表示等を制御する。指針４１１による時計１１０の各状態の表示は、たとえば、上述の接続状態表記１１６、端末サーチ表記１１７、アラーム状態表記１１８およびフライトモード表記１１９を秒針１１２ｃにより指すことによる表示である。
【００３４】
接続制御部４１６は、時計１１０と携帯端末１２０との間のＢｌｕｅｔｏｏｔｈ等の接続の制御を行う。たとえば、接続制御部４１６は、通信部４１３による無線通信を制御する。また、たとえば、接続制御部４１６は、操作部４１２によってリュウズ１１４に対する所定の引き出し操作が受け付けられると、上述のスマホサーチを行うように接続制御部４１６を制御する。また、接続制御部４１６は、時計１１０の接続状態をユーザへ表示する制御を行ってもよい。たとえば、接続制御部４１６は、表示制御部４１５を介して指針４１１を制御することにより、時計１１０が携帯端末１２０と接続しているか否かをユーザへ表示する。
【００３５】
また、時計１１０は、電子音により確認音を鳴らすスピーカを備えてもよい。このスピーカは、たとえば制御回路４１４により制御される。
【００３６】
図４に示すように、携帯端末１２０は、ディスプレイ４２１と、操作部４２２と、スピーカ４２３と、通信部４２４と、制御回路４２５と、を備える。ディスプレイ４２１は、携帯端末１２０のユーザに対して情報を表示するユーザインタフェースであり、たとえば図１〜図３に示したディスプレイ１２１である。操作部４２２は、携帯端末１２０のユーザからの操作を受け付けるユーザインタフェースである。ディスプレイ４２１および操作部４２２は、それぞれ別の装置により実現されてもよいし、タッチパネル式のディスプレイなどにより実現されてもよい。
【００３７】
スピーカ４２３は、携帯端末１２０のユーザに対して電子音を出力するユーザインタフェースであり、たとえば図１〜図３に示したスピーカ１２３，１２４を含む。通信部４２４は、時計１１０との間でＢｌｕｅｔｏｏｔｈ等の無線通信が可能な通信インタフェースである。
【００３８】
制御回路４２５は、携帯端末１２０の動作を制御する。制御回路４２５は、たとえばＣＰＵやメモリ等により実現することができる。たとえば、制御回路４２５は、表示制御部４２６と、接続制御部４２７と、鳴動制御部４２８と、を備える。
【００３９】
表示制御部４２６は、ディスプレイ４２１による各種の情報の表示を制御する。ディスプレイ４２１による情報の表示には、上述の鳴動通知１２１ａ、鳴動中画面２１１、リュウズ押下指示画面２２１などの表示が含まれる。また、表示制御部４２６は、操作部４２２に対するユーザからの操作の受付に応じて、鳴動通知１２１ａ、鳴動中画面２１１、リュウズ押下指示画面２２１などの非表示等の制御を行う。操作部４２２に対するユーザからの操作には、たとえば上述のＳＴＯＰボタン２１２やＯＫボタン２２２の押下などである。
【００４０】
接続制御部４２７は、時計１１０と携帯端末１２０との間のＢｌｕｅｔｏｏｔｈ等の接続の制御を行う。たとえば、接続制御部４２７は、通信部４２４による無線通信を制御する。鳴動制御部４２８は、たとえば端末サーチにおいてスピーカ４２３から電子音を出力させる制御を行う。
【００４１】
また、携帯端末１２０は、端末サーチによる報知動作を振動により行う場合は、鳴動制御部４２８からの制御によって振動するバイブレータを備えてもよい。また、携帯端末１２０は、端末サーチによる報知動作を発光により行う場合は、鳴動制御部４２８からの制御によって発光するＬＥＤ（Ｌｉｇｈｔ  Ｅｍｉｔｔｉｎｇ  Ｄｉｏｄｅ：発光ダイオード）や照射ライトなどを備えてもよい。
【００４２】
図４に示す時計１１０において、報知動作を携帯端末１２０に実行させる制御を行う制御部は、たとえば制御回路４１４および通信部４１３により実現することができる。また、図４に示す時計１１０において、ユーザに対する通知を行う通知部は、たとえば制御回路４１４および指針４１１や、制御回路４１４および時計１１０のスピーカなどにより実現することができる。
【００４３】
（実施の形態１にかかる時計の状態遷移）
図５は、実施の形態１にかかる時計の状態遷移の一例を示す図である。時計１１０は、たとえば図５に示す切断＿運用状態５１１、操作確定待機状態５１２、接続待機状態５１３、鳴動完了待機状態５１４、切断表示状態５１５、接続＿運用状態５２１、操作確定待機状態５２２、鳴動完了待機状態５２３および接続表示状態５２４の各状態に遷移する。
【００４４】
たとえば、時計１１０は、起動時に切断＿運用状態５１１へ遷移する。切断＿運用状態５１１は、時計１１０の運用状態のうち携帯端末１２０に切断していない状態である。切断＿運用状態５１１において、時計１１０は、リュウズ１１４を引かない状態（リュウズ０段引き）にすると１秒運針により現在時刻を表示し、リュウズ１１４を１段引いた状態（リュウズ１段引き）にすると、アラームが設定されているか否かをアラーム状態表記１１８および秒針１１２ｃで表示する上述のアラーム表示を行う。
【００４５】
切断＿運用状態５１１において、時計１１０は、リュウズ１１４が２段引かれると（リュウズ２段引き）、操作確定待機状態５１２へ遷移する。また、このとき、時計１１０は、秒針１１２ｃを「ＦＩＮＤ」の位置へ移動するとともに、リュウズ１１４が２段引かれたことを示す確認音を鳴らす。この確認音は、たとえば端末サーチにおいて携帯端末１２０が出力する電子音よりも音量が小さい電子音とすることができる。
【００４６】
操作確定待機状態５１２は、リュウズ１１４が２段引かれた状態を所定時間（たとえば３秒）以上継続させる操作の確定を待機する状態である。操作確定待機状態５１２において、時計１１０は、秒針１１２ｃにより「ＦＩＮＤ」の位置を指示した状態を維持する。操作確定待機状態５１２において、時計１１０は、リュウズ１１４が押し込まれると（リュウズ押し込み）、上述の切断＿運用状態５１１へ遷移する。また、操作確定待機状態５１２において、時計１１０は、リュウズ１１４が２段引かれた状態が所定時間（たとえば３秒）以上継続した場合は接続待機状態５１３へ遷移する。このとき、時計１１０は、時計１１０と携帯端末１２０との間の接続を要求する接続要求を携帯端末１２０へ送信する。
【００４７】
接続待機状態５１３は、送信した接続要求に対して携帯端末１２０からの接続成功通知を待機する状態である。接続待機状態５１３において、時計１１０は、秒針１１２ｃにより「ＦＩＮＤ」の位置を指示した状態を維持する。また、接続待機状態５１３において、時計１１０は、時計１１０と携帯端末１２０との間の接続が失敗すると（接続失敗）、後述の切断表示状態５１５へ遷移する。たとえば、時計１１０は、接続要求を送信してから所定時間（たとえば１０秒）以内に携帯端末１２０からの接続成功通知を受信しない場合や、携帯端末１２０から接続失敗通知を受信した場合に、時計１１０と携帯端末１２０との間の接続が失敗したと判断する。
【００４８】
接続待機状態５１３において、時計１１０は、リュウズ１１４が押し込まれると（リュウズ押し込み）、上述の切断＿運用状態５１１へ遷移する。また、このとき、時計１１０は、携帯端末１２０との間の通信動作（たとえば接続成功通知の受信待ち）を停止する。また、接続待機状態５１３において、時計１１０は、接続が成功したことを示す接続成功通知を時計１１０が携帯端末１２０から受信すると鳴動完了待機状態５１４へ遷移する。
【００４９】
このとき、時計１１０は、端末サーチにより携帯端末１２０が鳴動を開始したことをユーザへ通知するデモ運針を行い、接続理由通知および鳴動指示を携帯端末１２０へ送信する。デモ運針は、通知部の一つであり、一例としては、「ＦＩＮＤ」の位置を中心として秒針１１２ｃを往復させる運針である。また、このデモ運針は、１回のみ行われてもよいし、継続して（繰り返し）行われてもよい。この場合の接続理由通知は、端末サーチのための接続であることを示す情報である。鳴動指示は、携帯端末１２０に対して鳴動を指示する情報である。
【００５０】
鳴動完了待機状態５１４において、時計１１０は、リュウズ１１４が押し込まれると（リュウズ押し込み）、あるいはスマホ側で鳴動を止めた場合は、上述の切断＿運用状態５１１へ遷移する。また、このとき、時計１１０は、リュウズ１１４が押し込まれたことを示す操作通知を携帯端末１２０へ送信し、鳴動の停止が完了したことを示す完了通知を携帯端末１２０から受信し、携帯端末１２０との間の接続を切断する切断処理を行う。
【００５１】
また、鳴動完了待機状態５１４において、時計１１０は、時計１１０と携帯端末１２０との間の接続が切断されると、後述の切断表示状態５１５へ遷移する。鳴動完了待機状態５１４における切断は、たとえば、時計１１０と携帯端末１２０との間の無線環境の悪化による切断である。
【００５２】
また、鳴動完了待機状態５１４において、時計１１０は、鳴動の停止が完了したことを示す完了通知と、切断を指示する切断指示と、を携帯端末１２０から受信すると、切断表示状態５１５へ遷移する。このときに、時計１１０は、携帯端末１２０との間の接続を切断する切断処理を行う。
【００５３】
切断表示状態５１５は、時計１１０と携帯端末１２０との間の接続が切断されていることを表示する状態である。切断表示状態５１５において、時計１１０は、秒針１１２ｃで接続状態表記１１６の「ＯＦＦ」を指すことにより時計１１０と携帯端末１２０との間の接続が切断されていることをユーザへ通知する。切断表示状態５１５において、時計１１０、リュウズ１１４が押し込まれると（リュウズ押し込み）、は上述の切断＿運用状態５１１へ遷移する。
【００５４】
切断＿運用状態５１１において、時計１１０は、端末サーチ以外の契機で時計１１０と携帯端末１２０との間で接続されると接続＿運用状態５２１へ遷移する。接続＿運用状態５２１は、時計１１０の運用状態のうち携帯端末１２０に接続している状態である。接続＿運用状態５２１における時計１１０の動作は、上述した切断＿運用状態５１１における時計１１０の動作と同様である。
【００５５】
接続＿運用状態５２１において、時計１１０は、時計１１０と携帯端末１２０との間の接続が切断されると、切断＿運用状態５１１へ遷移する。また、接続＿運用状態５２１において、時計１１０は、リュウズ１１４が２段引かれると（リュウズ２段引き）、操作確定待機状態５２２へ遷移する。また、このとき、時計１１０は、秒針１１２ｃを「ＦＩＮＤ」の位置へ移動するとともに、リュウズ１１４が２段引かれたことを示す確認音を鳴らす。この確認音は、時計１１０が切断＿運用状態５１１から操作確定待機状態５１２に遷移する際に鳴らす確認音と同様である。
【００５６】
操作確定待機状態５２２は、上述の操作確定待機状態５１２と同様に、リュウズ１１４が２段引かれた状態を３秒以上継続させる操作の確定を待機する状態である。操作確定待機状態５２２において、時計１１０は、秒針１１２ｃにより「ＦＩＮＤ」の位置を指示した状態を維持する。操作確定待機状態５２２において、時計１１０は、リュウズ１１４が押し込まれると（リュウズ押し込み）、上述の接続＿運用状態５２１へ遷移する。また、操作確定待機状態５２２において、時計１１０は、時計１１０と携帯端末１２０との間の接続が切断されると切断表示状態５１５へ遷移する。
【００５７】
また、操作確定待機状態５２２において、時計１１０は、リュウズ１１４が２段引かれた状態が所定時間（たとえば３秒）以上継続した場合は、鳴動完了待機状態５２３へ遷移する。このとき、時計１１０は、端末サーチにより携帯端末１２０が鳴動を開始したことをユーザへ通知する上述のデモ運針を行い、接続理由通知および鳴動指示を携帯端末１２０へ送信する。この場合の接続理由通知は、端末サーチに限らない通常の接続であることを示す情報である。
【００５８】
鳴動完了待機状態５２３において、時計１１０は、リュウズ１１４が押し込まれると（リュウズ押し込み）、上述の接続＿運用状態５２１へ遷移する。このとき、時計１１０は、リュウズ１１４が押し込まれたことを示す操作通知を携帯端末１２０へ送信し、鳴動の停止が完了したことを示す完了通知を携帯端末１２０から受信する。ただし、この場合は、時計１１０は上述の切断処理を行わない。また、鳴動完了待機状態５２３において、時計１１０は、鳴動の停止が完了したことを示す完了通知を携帯端末１２０から受信すると、切断処理を行わずに接続表示状態５２４へ遷移する。また、鳴動完了待機状態５２３において、時計１１０は、携帯端末１２０との間の接続が切断されると、上述の切断表示状態５１５へ遷移する。
【００５９】
接続表示状態５２４は、時計１１０と携帯端末１２０とが無線により接続されていることを表示する状態である。接続表示状態５２４において、時計１１０は、秒針１１２ｃで接続の「ＯＮ」を指すことにより、時計１１０と携帯端末１２０とが無線により接続されていることをユーザへ通知する。
【００６０】
接続表示状態５２４において、時計１１０は、リュウズ１１４が押し込まれると（リュウズ押し込み）、上述の接続＿運用状態５２１へ遷移する。また、このとき、時計１１０は、リュウズ１１４が押し込まれたことを示す操作通知を携帯端末１２０へ送信する。また、接続表示状態５２４において、時計１１０は、携帯端末１２０との間の接続が切断されると、上述の切断表示状態５１５へ遷移する。
【００６１】
（実施の形態１にかかる携帯端末の状態遷移）
図６は、実施の形態１にかかる携帯端末の状態遷移の一例を示す図である。携帯端末１２０は、たとえば図６に示す切断＿待機状態６１１、鳴動状態６１２、接続＿待機状態６２１および鳴動状態６２２の各状態に遷移する。たとえば、携帯端末１２０は、起動時に切断＿待機状態６１１へ遷移する。切断＿待機状態６１１は、時計１１０と接続しておらず時計１１０からの接続要求を待機する状態である。
【００６２】
切断＿待機状態６１１において、携帯端末１２０は、時計１１０と接続し、端末サーチのための接続であることを示す接続理由通知および鳴動指示を時計１１０から受信すると、鳴動状態６１２へ遷移する。このとき、携帯端末１２０は、スピーカ１２４により鳴動を開始し、ディスプレイ１２１の通知領域に、時計１１０から鳴動させていることを示す鳴動通知１２１ａを表示する。
【００６３】
鳴動状態６１２は、携帯端末１２０がスピーカ１２４による鳴動（報知動作）を継続する状態である。鳴動状態６１２において、携帯端末１２０は、ユーザが携帯端末１２０を操作して端末サーチのアプリケーションを起動すると、ディスプレイ１２１の通知領域の鳴動通知１２１ａを非表示にし、ユーザに対して携帯端末１２０の鳴動の停止を促す鳴動中画面２１１をディスプレイ１２１に表示する。
【００６４】
鳴動状態６１２において、ユーザが携帯端末１２０を操作し、鳴動中画面２１１のＳＴＯＰボタン２１２が押下されると、携帯端末１２０は上述の切断＿待機状態６１１へ遷移する。このとき、携帯端末１２０は、スピーカ１２４による鳴動を停止し、鳴動中画面２１１を非表示にする。また、携帯端末１２０は、鳴動の停止が完了したことを示す完了通知と、切断を指示する切断指示と、を時計１１０へ送信し、その後に時計１１０との間の接続を切断する切断処理を行う。また、携帯端末１２０は、時計１１０のリュウズ１１４を押し込むことを指示するリュウズ押下指示画面２２１をディスプレイ１２１に表示する。表示されたリュウズ押下指示画面２２１は、リュウズ押下指示画面２２１のＯＫボタン２２２が押下されることにより非表示になる。
【００６５】
鳴動状態６１２において、携帯端末１２０は、所定時間（たとえば３０秒）が経過することによりタイムアウトになると上述の切断＿待機状態６１１へ遷移する。このとき、携帯端末１２０は、スピーカ１２４による鳴動を停止し、鳴動通知１２１ａを非表示（鳴動中画面２１１が表示されていた場合は鳴動中画面２１１を非表示）にする。また、携帯端末１２０は、鳴動の停止が完了したことを示す完了通知と、切断を指示する切断指示と、を時計１１０へ送信し、その後に時計１１０との間の接続を切断する切断処理を行う。また、携帯端末１２０は、時計１１０のリュウズ１１４を押し込むことを指示するリュウズ押下指示画面２２１をディスプレイ１２１に表示する。表示されたリュウズ押下指示画面２２１は、リュウズ押下指示画面２２１のＯＫボタン２２２が押下されることにより非表示になる。
【００６６】
鳴動状態６１２において、携帯端末１２０は、リュウズ１１４が押し込まれたことを示す操作通知を時計１１０から受信すると、上述の切断＿待機状態６１１へ遷移する。このとき、携帯端末１２０は、スピーカ１２４による鳴動を停止し、鳴動通知１２１ａを非表示（鳴動中画面２１１が表示されていた場合は鳴動中画面２１１を非表示）にし、鳴動の停止が完了したことを示す完了通知と、切断を指示する切断指示と、を時計１１０へ送信し、その後に時計１１０との間の接続を切断する切断処理を行う。この場合は時計１１０のリュウズ１１４は押し込まれているため、携帯端末１２０はリュウズ押下指示画面２２１を表示しなくてよい。
【００６７】
切断＿待機状態６１１において、携帯端末１２０は、端末サーチ以外の理由で時計１１０と接続すると、接続＿待機状態６２１へ遷移する。接続＿待機状態６２１は、時計１１０と接続しており、時計１１０からの接続理由通知等を待機する状態である。接続＿待機状態６２１において、時計１１０と携帯端末１２０との間の接続が切断されると、携帯端末１２０は、上述の切断＿待機状態６１１へ遷移する。
【００６８】
接続＿待機状態６２１において、携帯端末１２０は、端末サーチに限らない通常の接続であることを示す接続理由通知および鳴動指示を時計１１０から受信すると、鳴動状態６２２へ遷移する。このとき、携帯端末１２０は、スピーカ１２４により鳴動を開始し、ディスプレイ１２１の通知領域に鳴動通知１２１ａを表示する。
【００６９】
鳴動状態６２２は、携帯端末１２０がスピーカ１２４による鳴動を継続する状態である。鳴動状態６２２において、携帯端末１２０は、ユーザが携帯端末１２０を操作して端末サーチのアプリケーションを起動すると、ディスプレイ１２１の通知領域の鳴動通知１２１ａを非表示にし、ユーザに対して携帯端末１２０の鳴動の停止を促す鳴動中画面２１１をディスプレイ１２１に表示する。
【００７０】
鳴動状態６２２において、携帯端末１２０は、ユーザが携帯端末１２０を操作し、鳴動中画面２１１のＳＴＯＰボタン２１２が押下されると上述の接続＿待機状態６２１へ遷移する。このとき、携帯端末１２０は、スピーカ１２４による鳴動を停止し、鳴動中画面２１１を非表示にし、鳴動の停止が完了したことを示す完了通知を時計１１０へ送信し、リュウズ押下指示画面２２１をディスプレイ１２１に表示する。表示されたリュウズ押下指示画面２２１は、リュウズ押下指示画面２２１のＯＫボタン２２２が押下されることにより非表示になる。この場合に、携帯端末１２０は、時計１１０と携帯端末１２０との間の接続を切断する切断処理を行わない。
【００７１】
鳴動状態６２２において、携帯端末１２０は、所定時間（たとえば３０秒）が経過することによりタイムアウトになると、上述の接続＿待機状態６２１へ遷移する。このとき、携帯端末１２０は、スピーカ１２４による鳴動を停止し、鳴動通知１２１ａを非表示（鳴動中画面２１１が表示されていた場合は鳴動中画面２１１を非表示）にし、鳴動の停止が完了したことを示す完了通知を時計１１０へ送信し、リュウズ押下指示画面２２１をディスプレイ１２１に表示する。表示されたリュウズ押下指示画面２２１は、リュウズ押下指示画面２２１のＯＫボタン２２２が押下されることにより非表示になる。この場合に、携帯端末１２０は、時計１１０と携帯端末１２０との間の接続を切断する切断処理を行わない。
【００７２】
鳴動状態６２２において、携帯端末１２０は、リュウズ１１４が押し込まれたことを示す操作通知を時計１１０から受信すると、上述の接続＿待機状態６２１へ遷移する。このとき、携帯端末１２０は、スピーカ１２４による鳴動を停止し、鳴動通知１２１ａを非表示（鳴動中画面２１１が表示されていた場合は鳴動中画面２１１を非表示）にし、鳴動の停止が完了したことを示す完了通知を時計１１０へ送信する。この場合に、携帯端末１２０は、時計１１０と携帯端末１２０との間の接続を切断する切断処理およびリュウズ押下指示画面２２１の表示を行わない。
【００７３】
鳴動状態６２２において、携帯端末１２０は、時計１１０と携帯端末１２０との間の接続が切断されると、上述の切断＿待機状態６１１へ遷移する。このとき、携帯端末１２０は、スピーカ１２４による鳴動を停止し、鳴動通知１２１ａを非表示（鳴動中画面２１１が表示されていた場合は鳴動中画面２１１を非表示）にし、リュウズ押下指示画面２２１をディスプレイ１２１に表示する。
【００７４】
（実施の形態１にかかる時計および携帯端末の第１の動作例）
図７は、実施の形態１にかかる時計および携帯端末の第１の動作例を示す図である。図７においては、リュウズ１１４の２段引きが行われたが、その後の所定時間（たとえば３秒）未満の間にリュウズ１１４が押し込まれた場合について説明する。最初の状態として、時計１１０が図５に示した切断＿運用状態５１１であり、携帯端末１２０が図６に示した切断＿待機状態６１１であるとする。
【００７５】
まず、時計１１０において、リュウズ１１４の２段引きが行われたとする（ステップＳ７０１）。つぎに、時計１１０が、秒針１１２ｃを「ＦＩＮＤ」の位置へ移動するとともに、リュウズ１１４が２段引かれたことを示す確認音を鳴らす（ステップＳ７０２）。この時点で時計１１０は図５に示した操作確定待機状態５１２へ遷移している。
【００７６】
つぎに、時計１１０において、ステップＳ７０１におけるリュウズ１１４の２段引きから３秒未満の間にリュウズ１１４の押し込みがあったとする（ステップＳ７０３）。この場合は、時計１１０は、リュウズ１１４が２段引かれた状態を所定時間（たとえば３秒）以上継続させる操作が確定しなかったため、リュウズ１１４の状態に応じて秒針１１２ｃを制御し（ステップＳ７０４）、一連の処理を終了する。この時点で時計１１０は図５に示した切断＿運用状態５１１へ遷移している。
【００７７】
リュウズ１１４の状態に応じた秒針１１２ｃの制御は、たとえばリュウズ１１４を引かない状態（０段引き）にすると１秒運針により現在時刻を表示し、リュウズ１１４を１段引いた状態（１段引き）にすると、アラームが設定されているか否かをアラーム状態表記１１８および秒針１１２ｃで表示する上述のアラーム表示を行う制御である。
【００７８】
（実施の形態１にかかる時計および携帯端末の第２の動作例）
図８は、実施の形態１にかかる時計および携帯端末の第２の動作例を示す図である。図８においては、時計１１０および携帯端末１２０が接続していない状態において、リュウズ１１４の２段引きが行われて端末サーチが実行され、ユーザが携帯端末１２０を操作することにより携帯端末１２０の鳴動が停止する場合について説明する。
【００７９】
図８に示すステップＳ８０１，Ｓ８０２は、図７に示したステップＳ７０１，Ｓ７０２と同様である。ステップＳ８０２のつぎに、時計１１０において、リュウズ１１４の２段引きが、ステップＳ８０１から所定時間（たとえば３秒）以上継続したとする（ステップＳ８０３）。つぎに、時計１１０が、時計１１０と携帯端末１２０との間の接続を要求する接続要求を携帯端末１２０へ送信する（ステップＳ８０４）。この時点で時計１１０は図５に示した接続待機状態５１３へ遷移している。
【００８０】
そして、携帯端末１２０において、ステップＳ８０４の接続要求に基づく時計１１０と携帯端末１２０との間の接続が成功したとする（ステップＳ８０５）。つぎに、携帯端末１２０が、時計１１０と携帯端末１２０との間の接続が成功したことを示す接続成功通知を時計１１０へ送信する（ステップＳ８０６）。
【００８１】
つぎに、時計１１０が、端末サーチにより携帯端末１２０が鳴動を開始したことをユーザへ通知する上述のデモ運針を行う（ステップＳ８０７）。また、時計１１０が、端末サーチのための接続であることを示す接続理由通知と、携帯端末１２０に対して鳴動を指示する鳴動指示と、を携帯端末１２０へ送信する（ステップＳ８０８）。この時点で時計１１０は図５に示した鳴動完了待機状態５１４へ遷移している。
【００８２】
つぎに、携帯端末１２０が、図２に示したように、スピーカ１２４により鳴動を開始し、ディスプレイ１２１の通知領域に、時計１１０から鳴動させていることを示す鳴動通知１２１ａを表示する（ステップＳ８０９）。この時点で携帯端末１２０は図６に示した鳴動状態６１２へ遷移している。つぎに、ユーザが、ステップＳ８０９の鳴動によって携帯端末１２０を発見し、携帯端末１２０を操作して端末サーチのアプリケーションを立ち上げたとする（ステップＳ８１０）。
【００８３】
つぎに、携帯端末１２０が、図２に示したように、ディスプレイ１２１の通知領域の鳴動通知１２１ａを非表示にし、ユーザに対して携帯端末１２０の鳴動の停止を促す鳴動中画面２１１をディスプレイ１２１に表示する（ステップＳ８１１）。つぎに、ユーザが、携帯端末１２０を操作して鳴動中画面２１１のＳＴＯＰボタン２１２を押下したとする（ステップＳ８１２）。
【００８４】
つぎに、携帯端末１２０が、図３に示したように、スピーカ１２４による鳴動を停止し、鳴動中画面２１１を非表示にする（ステップＳ８１３）。また、携帯端末１２０が、鳴動の停止が完了したことを示す完了通知と、時計１１０と携帯端末１２０との間の接続の切断を指示する切断指示と、を時計１１０へ送信する（ステップＳ８１４）。
【００８５】
つぎに、時計１１０が、携帯端末１２０との間の接続を切断する切断処理を行い、時計１１０と携帯端末１２０との間の接続が切断状態であることを秒針１１２ｃでユーザに通知する（ステップＳ８１５）。たとえば、時計１１０は、接続状態表記１１６の「ＯＦＦ」を秒針１１２ｃで指す。この時点で時計１１０は図５に示した切断表示状態５１５へ遷移している。
【００８６】
つぎに、時計１１０において、リュウズ１１４の押し込みがあったとする（ステップＳ８１６）。つぎに、時計１１０が、リュウズ１１４の状態に応じて秒針１１２ｃを制御し（ステップＳ８１７）、一連の処理を終了する。この時点で時計１１０は図５に示した切断＿運用状態５１１へ遷移している。
【００８７】
また、携帯端末１２０が、ステップＳ８１４によって完了通知および切断指示を送信した後に、時計１１０との間の通信を切断する切断処理を行い、時計１１０のリュウズ１１４を押し込むことを指示するリュウズ押下指示画面２２１をディスプレイ１２１に表示する（ステップＳ８１８）。この時点で携帯端末１２０は図６に示した切断＿待機状態６１１へ遷移している。
【００８８】
つぎに、ユーザが、携帯端末１２０を操作してリュウズ押下指示画面２２１のＯＫボタン２２２を押下したとする（ステップＳ８１９）。つぎに、携帯端末１２０が、リュウズ押下指示画面２２１を非表示にし（ステップＳ８２０）、一連の処理を終了する。
【００８９】
図８においては、時計１１０および携帯端末１２０が接続していない状態において端末サーチが実行される場合について説明したが、時計１１０および携帯端末１２０が接続している状態において端末サーチが実行される場合についても同様である。ただし、この場合においては、時計１１０と携帯端末１２０との間の接続のための処理や、端末サーチの終了時に時計１１０と携帯端末１２０との間の接続の切断が行われない。
【００９０】
たとえば、時計１１０および携帯端末１２０が接続していない状態において端末サーチが実行される場合、ステップＳ８０４〜Ｓ８０６は実行されない。また、この場合、ステップＳ８１４において切断指示は送信されず、ステップＳ８１５，Ｓ８１８において切断処理は実行されない。また、この場合、ステップＳ８１５において、時計１１０は、時計１１０と携帯端末１２０との間が接続状態であることを秒針１１２ｃでユーザに通知する。たとえば、時計１１０は、接続状態表記１１６の「ＯＮ」を秒針１１２ｃで指す。
【００９１】
（実施の形態１にかかる時計および携帯端末の第３の動作例）
図９は、実施の形態１にかかる時計および携帯端末の第３の動作例を示す図である。図９においては、時計１１０および携帯端末１２０が接続していない状態において、リュウズ１１４の２段引きが行われて端末サーチが実行され、ユーザが時計１１０を操作することにより携帯端末１２０の鳴動が停止する場合について説明する。
【００９２】
図９に示すステップＳ９０１〜Ｓ９０９は、図８に示したステップＳ８０１〜Ｓ８０９と同様である。ステップＳ９０９のつぎに、時計１１０においてリュウズ１１４の押し込みがあったとする（ステップＳ９１０）。つぎに、時計１１０が、リュウズ１１４が押し込まれたことを示す操作通知を携帯端末１２０へ送信する（ステップＳ９１１）。
【００９３】
つぎに、携帯端末１２０が、図３に示したように、スピーカ１２４による鳴動を停止し、通知領域の鳴動通知１２１ａを非表示にする（ステップＳ９１２）。また、携帯端末１２０が、鳴動の停止が完了したことを示す完了通知と、時計１１０と携帯端末１２０との間の接続の切断を指示する切断指示と、を時計１１０へ送信する（ステップＳ９１３）。
【００９４】
つぎに、時計１１０が、携帯端末１２０との間の接続を切断する切断処理を行い、リュウズ１１４の状態に応じて秒針１１２ｃを制御し（ステップＳ９１４）、一連の処理を終了する。この時点で時計１１０は図５に示した切断＿運用状態５１１へ遷移している。
【００９５】
また、携帯端末１２０が、ステップＳ９１４によって完了通知および切断指示を送信した後に、時計１１０との間の通信を切断する切断処理を行う（ステップＳ９１５）。この時点で携帯端末１２０は図６に示した切断＿待機状態６１１へ遷移している。
【００９６】
図９においては、時計１１０および携帯端末１２０が接続していない状態において端末サーチが実行される場合について説明したが、時計１１０および携帯端末１２０が接続している状態において端末サーチが実行される場合についても同様である。ただし、この場合においては、時計１１０と携帯端末１２０との間の接続のための処理や、端末サーチの終了時に時計１１０と携帯端末１２０との間の接続の切断が行われない。
【００９７】
たとえば、時計１１０および携帯端末１２０が接続していない状態において端末サーチが実行される場合、ステップＳ９０４〜Ｓ９０６は実行されない。また、ステップＳ９１３において切断指示は送信されず、ステップＳ９１４，Ｓ９１５において切断処理は実行されない。また、ステップＳ９１４において、時計１１０は、たとえば接続状態表記１１６の「ＯＮ」を秒針１１２ｃで指すことにより、時計１１０と携帯端末１２０との間が接続状態であることを秒針１１２ｃでユーザに通知する。
【００９８】
（実施の形態１にかかる時計および携帯端末の第４の動作例）
図１０は、実施の形態１にかかる時計および携帯端末の第４の動作例を示す図である。図１０においては、時計１１０および携帯端末１２０が接続していない状態において、リュウズ１１４の２段引きが行われて端末サーチが実行され、タイムアウトにより携帯端末１２０の鳴動が停止する場合について説明する。
【００９９】
図１０に示すステップＳ１００１〜Ｓ１００９は、図８に示したステップＳ８０１〜Ｓ８０９と同様である。ステップＳ１００９の後、時計１１０におけるリュウズ１１４の押し込みや携帯端末１２０における鳴動中画面２１１のＳＴＯＰボタン２１２の押下がないまま所定時間（たとえば３０秒）が経過したとする（ステップＳ１０１０）。つぎに、携帯端末１２０が、図３に示したように、スピーカ１２４による鳴動を停止し、通知領域の鳴動通知１２１ａを非表示にする（ステップＳ１０１１）。ステップＳ１０１２〜Ｓ１０１８は、図８に示したステップＳ８１４〜Ｓ８２０と同様である。
【０１００】
図１０においては、時計１１０および携帯端末１２０が接続していない状態において端末サーチが実行される場合について説明したが、時計１１０および携帯端末１２０が接続している状態において端末サーチが実行される場合についても同様である。ただし、この場合においては、時計１１０と携帯端末１２０との間の接続のための処理や、端末サーチの終了時に時計１１０と携帯端末１２０との間の接続の切断が行われない。
【０１０１】
たとえば、時計１１０および携帯端末１２０が接続していない状態において端末サーチが実行される場合、ステップＳ１００４〜Ｓ１００６は実行されない。また、ステップＳ１０１２において切断指示は送信されず、ステップＳ１０１３，Ｓ１０１６において切断処理は実行されない。また、ステップＳ１０１５において、時計１１０は、たとえば接続状態表記１１６の「ＯＮ」を秒針１１２ｃで指すことにより、時計１１０と携帯端末１２０との間が接続状態であることを秒針１１２ｃでユーザに通知する。
【０１０２】
（実施の形態１にかかる時計および携帯端末の第５の動作例）
図１１は、実施の形態１にかかる時計および携帯端末の第５の動作例を示す図である。図１１においては、時計１１０および携帯端末１２０が接続していない状態において、リュウズ１１４の２段引きが行われ、時計１１０と携帯端末１２０との間の接続が失敗する場合について説明する。
【０１０３】
図１１に示すステップＳ１１０１〜Ｓ１１０４は、図８に示したステップＳ８０１〜Ｓ８０４と同様である。ステップＳ１１０４のつぎに、ステップＳ１１０４の接続要求に基づく時計１１０と携帯端末１２０との間の接続が失敗したとする（ステップＳ１１０５）。時計１１０と携帯端末１２０との間の接続の失敗には、携帯端末１２０が接続要求を受信できなかった場合や、携帯端末１２０が接続要求を受信したが接続が不可であった場合や、携帯端末１２０が接続要求を受信し携帯端末１２０において接続が可能であったが携帯端末１２０からの接続成功通知を時計１１０が受信できなかった場合などがある。
【０１０４】
つぎに、時計１１０において、ステップＳ１１０４によって接続要求を送信してから、携帯端末１２０からの接続成功通知を受信しないまま所定時間（たとえば１０秒）が経過したとする（ステップＳ１１０６）。つぎに、時計１１０は、携帯端末１２０との間の通信動作（たとえば接続成功通知の受信待ち）を停止する（ステップＳ１１０７）。
【０１０５】
つぎに、時計１１０が、時計１１０と携帯端末１２０との間の接続が切断状態であることを秒針１１２ｃでユーザに通知する（ステップＳ１１０８）。たとえば、時計１１０は、接続状態表記１１６の「ＯＦＦ」を秒針１１２ｃで指す。この時点で時計１１０は図５に示した切断表示状態５１５へ遷移している。ステップＳ１１０９，Ｓ１１１０は、図８に示したステップＳ８１６，Ｓ８１７と同様である。
【０１０６】
このように、実施の形態１にかかる時計１１０によれば、リュウズ１１４に対する所定の引き出し操作（たとえば２段引きを３秒以上）が行われた場合に、携帯端末１２０との間で無線通信を行うことにより、携帯端末１２０の周辺に携帯端末１２０の存在を報知する報知動作を携帯端末１２０に実行させる制御（たとえば端末サーチ）を行うことができる。
【０１０７】
これにより、たとえばプッシュボタン１１５の押下よりも容易なリュウズ１１４の引き出し操作により携帯端末１２０に報知動作を実行させることができる。また、たとえばプッシュボタン１１５の押下よりも誤操作が発生しにくいリュウズ１１４の引き出し操作により携帯端末１２０に報知動作を実行させることができる。このため、報知動作の操作性の向上および意図しない報知動作の実行の防止を図ることができる。
【０１０８】
携帯端末１２０による報知動作は、たとえば音を発する動作とすることができる。これにより、携帯端末１２０がユーザから目視できない位置にあっても、ユーザが携帯端末１２０の位置を容易に確認することができる。音を発する動作は、電子音を発する動作でもよいし、振動することによって振動音を発する動作でもよい。
【０１０９】
また、携帯端末１２０による報知動作は、音を発する動作に限らず、たとえば発光する動作としてもよい。これにより、たとえば携帯端末１２０が暗い位置にあっても、ユーザが携帯端末１２０の位置を容易に確認することができる。発光する動作には、たとえば、携帯端末１２０が備えるカメラの照射ライトを用いてもよいし、携帯端末１２０が備えるＬＥＤ等の発光部を用いてもよい。また、携帯端末１２０による報知動作は、上述の各報知動作の組み合わせであってもよい。
【０１１０】
また、時計１１０のリュウズ１１４は複数段の引き出し操作（たとえば１段引きおよび２段引き）が可能であり、携帯端末１２０に報知動作を実行させるための所定の引き出し操作は、リュウズ１１４に対する複数段の引き出し操作のうちリュウズ１１４を最も引き出す操作（たとえば２段引き）としてもよい。これにより、たとえばリュウズ１１４を途中まで引く操作より容易なリュウズ１１４を引き切る操作により携帯端末１２０に報知動作を実行させることができる。このため、報知動作の操作性の向上を図ることができる。
【０１１１】
また、リュウズ１１４において１段引きのみが可能である場合は、携帯端末１２０に報知動作を実行させるための操作は１段引きとすることができる。また、リュウズ１１４において３段引き以上が可能である場合は、携帯端末１２０に報知動作を実行させるための操作は、上述のようにリュウズ１１４を最も引き出す操作（３段引き以上）としてもよい。また、携帯端末１２０に報知動作を実行させるための操作は、リュウズ１１４を途中まで引く操作であってもよい。また、携帯端末１２０に報知動作を実行させるための操作は、リュウズ１１４に対する引き出し操作（たとえば２段引き）とプッシュボタン１１５の押下との組み合わせ等としてもよい。
【０１１２】
また、時計１１０は、リュウズ１１４に対する所定の引き出し操作が行われると、報知動作を携帯端末１２０に実行させる前に、その所定の引き出し操作の受け付けをユーザに通知（たとえば上述の確認音の出力）してもよい。これにより、報知動作の実行前に、報知動作が実行されることをユーザに通知することができる。このため、ユーザは、その報知動作の実行が意図したものでない場合は、報知動作の実行をキャンセルする操作を行ったり、実行された報知動作をすぐに停止する操作を行ったりする等の対応が可能になる。
【０１１３】
さらに、報知動作が音を発する動作である場合に、所定の引き出し操作の受け付けの通知は、その報知動作により発せられる音より小さい音による通知（たとえば上述の確認音）としてもよい。たとえば、報知動作が電子音を発する動作である場合に、所定の引き出し操作の受け付けの通知は、報知動作の電子音より小さな電子音や、報知動作の電子音より小さい音を発する振動とすることができる。また、報知動作が振動する動作である場合に、所定の引き出し操作の受け付けの通知は、報知動作の振動より振幅が小さい振動とする。これにより、報知動作で大きな音がなる前に、報知動作よりも小さな音によりユーザに警告することができる。
【０１１４】
さらに、所定の引き出し操作の受け付けの通知が音による通知（「通知動作」と称する。）であり、報知動作が音を発する動作である場合に、報知動作は、通知動作の開始よりも後に開始され、通知動作は、携帯端末１２０が報知動作により音を発している期間の一部または全部において、音を発しない期間を持つようにしてもよい。一例としては、上述の確認音（通知動作）を開始から最大０．５秒間の鳴動とし、報知動作を確認音の鳴動の開始から３秒後に開始して最大３０秒間鳴動する動作とすることができる。また、別の一例として、確認音を開始から最大５秒間の鳴動とし、報知動作を確認音の鳴動の開始から３秒後に開始して最大３０秒間鳴動する動作としてもよい。これにより、通知動作と報知動作の両方が音を発する動作であっても、報知動作の音のみが発せられる期間が設けられることで、通知動作の発する音によってユーザが探すべき報知動作の音が聞き分けにくくなることを防止することができる。
【０１１５】
また、時計１１０は、携帯端末１２０に報知動作を実行させている間にリュウズ１１４が引き出されていない状態（たとえば０段引き）になった場合に、携帯端末１２０に報知動作を停止させる制御を行ってもよい。これにより、リュウズ１１４の引き出し操作により実行した報知動作を、リュウズ１１４を元に戻す操作により停止させることができる。このため、直感的に分かりやすい操作によって報知動作を停止させることができる。
【０１１６】
さらに、時計１１０のリュウズ１１４は、リュウズ１１４が引かれていない場合は、リュウズ１１４が引き出されていない状態になるようバネ等により付勢されていてもよい。これにより、リュウズ１１４の引き出し操作により実行した報知動作を、リュウズ１１４を離すことにより停止させることができる。このため、直感的に分かりやすく、かつ迅速に実行可能な操作によって報知動作を停止させることができる。すなわち、ユーザが時計１１０のリュウズ１１４を引っ張っている間のみ携帯端末１２０に報知動作を実行させることができる。
【０１１７】
また、携帯端末１２０に報知動作を実行させるためのリュウズ１１４に対する所定の引き出し操作は、リュウズ１１４を引き出した状態を所定時間（たとえば３秒）以上継続する操作としてもよい。これにより、リュウズ１１４が意図せず引かれた場合に、所定時間内にリュウズ１１４を元に戻すことで、携帯端末１２０に報知動作を実行させないようにすることができる。このため、意図しない報知動作の防止を図ることができる。
【０１１８】
また、時計１１０は、時計１１０（自機器）と携帯端末１２０との間で無線通信が可能な接続状態であり携帯端末１２０に報知動作を実行させる場合に、自機器と携帯端末１２０との間で無線通信が可能な接続状態であることをユーザに通知（たとえば上述のデモ運針）してもよい。これにより、携帯端末１２０の報知動作をユーザが認識できない状況においても、ユーザは、携帯端末１２０が時計１１０と無線通信可能な位置（たとえば時計１１０と同じ部屋や建物）に存在することを確認することができる。携帯端末１２０の報知動作をユーザが認識できない状況とは、たとえば、携帯端末１２０の音や発光が遮蔽物により遮られている状況や、報知動作が音を発する動作である場合で携帯端末１２０の周辺で他の大きな音が鳴っている状況や、報知動作が発光する動作である場合で携帯端末１２０の周辺が明るい状況などである。
【０１１９】
なお、自機器と携帯端末１２０との間で無線通信が可能な接続状態であることをユーザに通知する構成においては、携帯端末１２０に報知動作を実行させる操作は、リュウズ１１４に対する上述の所定の引き出し操作に限らず、たとえばプッシュボタン１１５の押下など任意の操作とすることができる。
【０１２０】
また、携帯端末１２０の報知動作は、携帯端末１２０に対する操作（たとえばＳＴＯＰボタン２１２の押下）により停止可能であり、携帯端末１２０は、携帯端末１２０に対する操作により報知動作を停止した場合に、リュウズ１１４が引き出されていない状態にすることをユーザに指示する通知（たとえばリュウズ押下指示画面２２１の表示）を行ってもよい。これにより、リュウズ１１４が引かれた状態が続くことを防止することができる。このため、時計１１０の防水性の低下等を防止することができる。
【０１２１】
なお、携帯端末１２０に対する操作により報知動作を停止した場合にリュウズ１１４が引き出されていない状態にすることをユーザに指示する通知を行う構成においては、携帯端末１２０に報知動作を実行させる操作は、リュウズ１１４に対する上述の所定の引き出し操作に限らず、たとえばプッシュボタン１１５の押下など任意の操作とすることができる。
【０１２２】
（実施の形態２）
（実施の形態２にかかる時計の時差設定）
図１２は、実施の形態２にかかる時計の時差設定の一例を示す図である。実施の形態２にかかる時計１２１０は、時刻に関する情報として、たとえば、内部時刻１２１１、時差１２１２および表示時刻１２１３を管理している。時計１２１０は、たとえば上述の時計１１０である。この場合に、時計１２１０は、たとえば図４に示した通信部４１３によって携帯端末１２２０と無線通信が可能である。また、この場合に、内部時刻１２１１、時差１２１２およびディスプレイ１２１は、たとえば図４に示した制御回路４１４において管理される。
【０１２３】
内部時刻１２１１は、たとえばＧＰＳ（Ｇｌｏｂａｌ  Ｐｏｓｉｔｉｏｎｉｎｇ  Ｓｙｓｔｅｍ：全地球測位システム）電波などの受信によって得られた時刻情報と、ＧＰＳ電波などの受信によって得られた閏秒情報と、に基づいて設定される。また、内部時刻１２１１は、時計１２１０が有するＲＴＣ（Ｒｅａｌ  Ｔｉｍｅ  Ｃｌｏｃｋ：リアルタイムクロック）に基づいて進行する。たとえば、内部時刻１２１１はＵＴＣ（Ｃｏｏｒｄｉｎａｔｅｄ  Ｕｎｉｖｅｒｓａｌ  Ｔｉｍｅ：協定世界時）である。
【０１２４】
時差１２１２は、たとえば携帯端末１２２０によって設定される時差（たとえばタイムゾーン）である。表示時刻１２１３は、内部時刻１２１１を時差１２１２により補正することによって得られる現在時刻である。時計１２１０は、表示時刻１２１３を指針４１１によってユーザへ表示する。
【０１２５】
実施の形態２にかかる携帯端末１２２０は、時計１２１０との間で無線通信が可能な携帯端末であり、ＯＳ１２２１と、時差設定アプリケーション１２２２と、を実行する。ＯＳはＯｐｅｒａｔｉｎｇ  Ｓｙｓｔｅｍ（オペレーティングシステム）の略である。携帯端末１２２０は、たとえば上述の携帯端末１２０である。この場合に、携帯端末１２２０は、たとえば図４に示した通信部４２４によって時計１２１０と無線通信が可能である。また、この場合に、ＯＳ１２２１および時差設定アプリケーション１２２２は、たとえば図４に示した制御回路４２５によって実行される。
【０１２６】
ＯＳ１２２１は、携帯端末１２２０におけるオペレーティングシステムであり、ＯＳ１２２１内で使用される時差を管理している。この時差は、ＯＳ１２２１や、ＯＳ１２２１において実行される各アプリケーションにおいて使用される時差である。
【０１２７】
時差設定アプリケーション１２２２は、時計１２１０の時差１２１２を携帯端末１２２０から設定するためのアプリケーションである。たとえば、時差設定アプリケーション１２２２は、時計１２１０の時差１２１２の設定方法の選択をユーザから受け付ける。時差１２１２の設定方法には、たとえば、第１〜第３の設定方法がある。
【０１２８】
第１の設定方法は、ＯＳ１２２１の時差を、時計１２１０の時差１２１２として設定する方法である。第２の設定方法は、時差設定アプリケーション１２２２がユーザから都市の選択を受け付け、受け付けた都市に対応する時差を、時計１２１０の時差１２１２として設定する方法である。第３の設定方法は、時差設定アプリケーション１２２２がユーザから時差の選択を受け付け、受け付けた時差を、時計１２１０の時差１２１２として設定する方法である。時差の選択については、たとえば１５分単位の任意の時差を選択可能とする。
【０１２９】
また、初期状態においては、時計１２１０の時差１２１２の設定方法は、第１の設定方法になっている。この場合は、時計１２１０と携帯端末１２２０とが接続されている間は、時計１２１０の時差１２１２はＯＳ１２２１の時差に同期する。
【０１３０】
上述のように、時計１２１０においては、時刻表示が一系統に統合されている。具体的には時計１２１０は内部時刻１２１１および時差１２１２に基づく表示時刻１２１３を表示する。これに対して、時差設定アプリケーション１２２２は、時計１２１０の時差１２１２を各設定方法で設定することができる。
【０１３１】
また、たとえば、ユーザが現在の都市とは異なる都市に移動した等により、任意の時差に変更したい場合、ＯＳ１２２１での時差の変更は、変更方法が煩雑であると共に、別のアプリケーション（スマートフォン上でのメール送信時刻やアラーム設定時刻等）に影響を与えてしまう。これに対して、時差設定アプリケーション１２２２に対して第２の設定方法または第３の設定方法で時差変更を指示することにより、ＯＳ１２２１の時差を変更しなくても、時計１２１０の時差１２１２を任意の時差に設定することができる。
【０１３２】
また、たとえば、時差設定アプリケーション１２２２は、ユーザにより選択された時差の設定方法を記憶している。そして、時差設定アプリケーション１２２２は、時計１２１０と携帯端末１２２０とが接続（無線接続）される毎に、ユーザにより選択された時差の設定方法に基づいて時計１２１０の時差１２１２を設定する。
【０１３３】
また、たとえば、ユーザにより選択された時差の設定方法が第１の選択方法であり、時計１２１０と携帯端末１２２０との接続中に、ＯＳ１２２１の時差やサマータイムが変化した場合は、時差設定アプリケーション１２２２は、その変化に追従して時計１２１０の時差１２１２を変更してもよい。
【０１３４】
また、たとえば、ユーザにより選択された時差の設定方法が第２の選択方法であり、時計１２１０と携帯端末１２２０との接続中に、第２の選択方法でユーザが選択した都市の時差やサマータイムが変化した場合は、時差設定アプリケーション１２２２は、その変化に追従して時計１２１０の時差１２１２を変更してもよい。
【０１３５】
なお、時差１２１２は、携帯端末１２２０からの設定に加えて、たとえば時計１２１０がＧＰＳ電波などに基づく測位受信を行った結果によって設定可能であってもよい。また、時差１２１２は、携帯端末１２２０からの設定に加えて、時計１２１０に対するユーザからの操作によって設定可能であってもよい。
【０１３６】
また、表示時刻１２１３は、手動による補正が可能であってもよい。手動による表示時刻１２１３の補正は、たとえば上述したリュウズ１１４に対してユーザが所定の操作を行うことによって実行される。手動による表示時刻１２１３の補正が実行されると、内部時刻１２１１や時差１２１２に関わらず、表示時刻１２１３が、手動により指定された時刻に補正され、補正後の時刻を基準として進行する。
【０１３７】
（実施の形態２にかかる時差設定アプリケーションの画面）
図１３は、実施の形態２にかかる時差設定アプリケーションの画面の一例を示す図である。実施の形態２にかかる時差設定アプリケーション１２２２は、たとえば図１３に示す選択画面１３００を表示する。たとえば携帯端末１２２０を携帯端末１２０に適用する場合は、時差設定アプリケーション１２２２は図４に示したディスプレイ４２１によって選択画面１３００を表示する。選択画面１３００は、マップ１３０１およびアイコン１３０２〜１３０４を含む。
【０１３８】
ユーザは、上述の第１の設定方法を選択する場合はアイコン１３０２を押下する。これに対して、時差設定アプリケーション１２２２は、第１の設定方法の指示を受け付け、ＯＳ１２２１の時差を時計１２１０の時差１２１２として設定する。
【０１３９】
また、ユーザは、上述の第２の設定方法を選択する場合は、マップ１３０１のうち選択する都市（図１３に示す例ではロンドン）の位置に配置されたアイコン１３０３を押下する。これに対して、時差設定アプリケーション１２２２は、第２の設定方法の指示を受け付け、押下されたアイコン１３０３に対応する都市（図１３に示す例ではロンドン）の時差を時計１２１０の時差１２１２として設定する。
【０１４０】
また、ユーザは、上述の第３の設定方法を選択する場合は、アイコン１３０４を押下し、その後にたとえば１５分単位の任意の時差を携帯端末１２２０に対して指示する。これに対して、時差設定アプリケーション１２２２は、第３の設定方法の指示を受け付け、指示された時差を時計１２１０の時差１２１２として設定する。
【０１４１】
時差設定アプリケーション１２２２による時計１２１０の時差１２１２の設定は、たとえば、時差設定アプリケーション１２２２が、図４に示した通信部４２４を介して、設定すべき時差を含む時差情報を時計１２１０へ送信することにより行うことができる。時計１２１０は、携帯端末１２２０から送信された時差情報を、図４に示した通信部４１３を介して受信し、受信した時差情報に含まれる時差を時差１２１２として設定する。
【０１４２】
このように、実施の形態２にかかる携帯端末１２２０によれば、携帯端末１２２０の時差を時計１２１０に設定する第１の設定方法と、携帯端末１２２０を介してユーザが任意に選択した時差を時計１２１０に設定する第２の設定方法または第３の設定方法と、を切り替え可能である。これにより、通常時は時計１２１０の時差１２１２を携帯端末１２２０に同期させることにより時差１２１２を自動的に設定しつつ、携帯端末１２２０を操作することによって時計１２１０の時差１２１２を一時的に変更することが可能になる。
【０１４３】
なお、時計１２１０が上述の時計１１０に適用される構成について説明したが、時計１２１０は時計１１０とは異なる時計に適用されてもよい。また、携帯端末１２２０が上述の携帯端末１２０に適用される構成について説明したが、携帯端末１２２０は携帯端末１２０とは異なる携帯端末に適用されてもよい。
【０１４４】
また、上述した各実施の形態において、時計１１０，１２１０が腕時計である構成について説明したが、このような構成に限らない。たとえば、時計１１０，１２１０は、懐中時計、置き時計、掛け時計などの時計であってもよい。また、時計１１０，１２１０が指針により時刻を表示するアナログ時計である構成について説明したが、このような構成に限らない。たとえば、時計１１０，１２１０は、ディスプレイにより時間を表示するデジタル時計、または音声によって時間を通知する音声時計などであってもよい。
【０１４５】
また、この発明にかかる携帯型電子機器の一例として時計１１０，１２１０について説明したが、この発明にかかる携帯型電子機器は、時計に限らず、無線通信が可能でありリュウズを備える各種の携帯型の電子機器に適用することができる。たとえば、この発明にかかる携帯型電子機器は、スマートフォンやタブレット端末などの情報端末であってもよいし、人間が身につけるウェアラブルコンピュータなどであってもよい。
【０１４６】
また、この発明にかかる携帯型電子機器によって報知動作を実行させる携帯端末１２０，１２２０がスマートフォンである構成について説明したが、携帯端末１２０，１２２０は、無線通信および報知動作が可能な各種の携帯端末とすることができる。たとえば、携帯端末１２０，１２２０は、腕時計などの時計であってもよいし、タブレット端末などであってもよいし、ウェアラブルコンピュータなどであってもよい。
【０１４７】
また、この発明にかかる携帯型電子機器と携帯端末との間の無線通信にＢｌｕｅｔｏｏｔｈを用いる構成について説明したが、この発明にかかる携帯型電子機器と携帯端末との間の無線通信はこれに限らず、たとえば携帯型電子機器と携帯端末の間で直接実行される各種の無線通信とすることができる。
【０１４８】
また、上述した秒針１１２ｃを用いた各種の通知は、時針１１２ａ、分針１１２ｂまたはその他の指針を用いた通知や、小窓１１３を用いた通知や、電子音や画面表示による通知としてもよい。
【０１４９】
以上説明したように、携帯型電子機器によれば、報知動作の操作性の向上および意図しない報知動作の実行の防止を図ることができる。
【産業上の利用可能性】
【０１５０】
以上のように、この発明にかかる携帯型電子機器は、ユーザによる引き出し操作が可能なリュウズを有し携帯端末との間で無線通信が可能な携帯型電子機器に有用であり、特に、ユーザからの操作手段が限られた腕時計等の時計に適している。
【符号の説明】
【０１５１】
１１０，１２１０  時計
１１１  文字板
１１２ａ  時針
１１２ｂ  分針
１１２ｃ  秒針
１１３  小窓
１１４  リュウズ
１１５  プッシュボタン
１１６  接続状態表記
１１７  端末サーチ表記
１１８  アラーム状態表記
１１９  フライトモード表記
１２０，１２２０  携帯端末
１２１，４２１  ディスプレイ
１２１ａ  鳴動通知
１２２  マイク
１２３，１２４，４２３  スピーカ
２１１  鳴動中画面
２１２  ＳＴＯＰボタン
２２１  リュウズ押下指示画面
２２２  ＯＫボタン
４１１  指針
４１２，４２２  操作部
４１３，４２４  通信部
４１４，４２５  制御回路
４１５，４２６  表示制御部
４１６，４２７  接続制御部
４２８  鳴動制御部
５１１  切断＿運用状態
５１２，５２２  操作確定待機状態
５１３  接続待機状態
５１４，５２３  鳴動完了待機状態
５１５  切断表示状態
５２１  接続＿運用状態
５２４  接続表示状態
６１１  切断＿待機状態
６１２，６２２  鳴動状態
６２１  接続＿待機状態
１２１１  内部時刻
１２１２  時差
１２１３  表示時刻
１２２１  ＯＳ
１２２２  時差設定アプリケーション
１３００  選択画面
１３０１  マップ
１３０２〜１３０４  アイコン
【図１】
2019165419.tif 000003
【図２】
2019165419.tif 000004
【図３】
2019165419.tif 000005
【図４】
2019165419.tif 000006
【図５】
2019165419.tif 000007
【図６】
2019165419.tif 000008
【図７】
2019165419.tif 000009
【図８】
2019165419.tif 000010
【図９】
2019165419.tif 000011
【図１０】
2019165419.tif 000012
【図１１】
2019165419.tif 000013
【図１２】
2019165419.tif 000014
【図１３】
2019165419.tif 000015